(57)【要約】【課題】  吸収体に形成された凹部の形状が崩れることなく、凹部を介した体液の移行を維持することができる吸液構造体およびこれを含む着用物品を提供する。【解決手段】  パンティライナ１は、身体側に位置する表面シート１１と、身体側とは反対側である着衣側に位置する裏面シート１２と、これらシート１１，１２の間に形成される第１および第２吸収体２０，３０とを含む。第１吸収体２０の第１前後端縁２２，２３には、第１芯材２４の前後端実質的非存在領域２６，２７が形成される。第１および第２吸収体２０，３０には、縦方向Ｙに延び、その断面がほぼＶ字の凹部５０が形成される。凹部５０は、その厚さ方向において表面シート１１および第１吸収体２０を介して、第２吸収体３０にまで到達し、その縦方向Ｙにおいて第１吸収体２０の存在領域２８から前端実質的非存在領域２６を介して、第２吸収体３０の前端延出部３３へと延びている。【選択図】図１
2010110535.tif 000002
【特許請求の範囲】
【請求項１】
縦方向および横方向と、第１吸収体および第２吸収体とを含み、前記第１吸収体は、吸液性の第１芯材を含み、前記第２吸収体は、吸液性の第２芯材を含み、前記第１吸収体および第２吸収体の厚さ方向に凹部が形成された着用物品の吸液構造体において、
前記第１吸収体は、前記縦方向に延びる第１両側縁と、前記横方向に延びる第１前後端縁と、前記第１芯材の存在領域と、前記第１両側縁および第１前後端縁の少なくともいずれかに形成された前記第１芯材の実質的非存在領域とを含み、
前記第２吸収体は、前記第１前後端縁および第１両側縁の少なくともいずれかから延出する延出部を含み、
前記凹部は、前記第１吸収体の前記存在領域から前記実質的非存在領域を介して、前記第２吸収体の前記延出部へと延びることを特徴とする前記吸液構造体。
【請求項２】
前記存在領域は、前記凹部に対応する部位において前記第１芯材が形成されない中央実質的非存在領域を含む請求項１記載の吸液構造体。
【請求項３】
前記凹部は、圧搾処理によって形成される請求項１または２に記載の吸液構造体。
【請求項４】
前記凹部は、前記縦方向および前記横方向の少なくともいずれかに延びる請求項１〜３のいずれかに記載の吸液構造体。
【請求項５】
前記凹部は、複数条形成される請求項１〜４のいずれかに記載の吸液構造体。
【請求項６】
前記第２吸収体は、前記実質的非存在領域に対応する位置において第２芯材が存在する請求項１〜５のいずれかに記載の吸液構造体。
【請求項７】
前記吸液構造体を含む着用物品であって、
着用者の身体側に位置する表面シートと、前記身体側の反対側に位置する裏面シートとを含み、前記第１吸収体は、前記表面シート側に位置し、前記第２吸収体は、前記裏面シート側に位置することを特徴とする前記着用物品。
【発明の詳細な説明】
【技術分野】
【０００１】
この発明は、吸液構造体に関し、さらに詳しくは、体液を吸収および保持することが可能であって、尿または女性性器から出る粘液・組織などのいわゆる下り物用パンティライナ、生理用ナプキンまたはパッド、使い捨ておむつ等の着用物品に用いる吸液構造体に関する。
【背景技術】
【０００２】
従来、着用者の股間に使用する吸収性物品として、例えば、特開２００８-１７３２４７号公報（特許文献１）が公知である。特許文献１では、吸収性物品として生理用ナプキンを用いている。この生理用ナプキンは、表裏面シートと、これらシートの間に形成された吸収層とを含み、吸収層は、上部吸収層と下部吸収層との積層体によって形成される。上部吸収層から下部吸収層にむかって、凹部を形成し、凹部を介して上部吸収層から下部吸収層へと体液が速やかに移行するようにしている。
【特許文献１】特開２００８−１７３２４７号公報（ＪＰ  ２００８−１７３２４７  Ａ）
【発明の開示】
【発明が解決しようとする課題】
【０００３】
上記のような吸収性物品において、上下部吸収層に体液が吸収されると、吸収層を形成する吸液性芯材が膨張する。吸液性芯材が膨張することによって凹部の形状が崩れてしまう可能性がある。特に上下部吸収層の端部では、その外側に向かっての吸液性芯材の膨張が制限されるので、その分凹部側への膨張が大きくなり、凹部の形状の崩れが顕著になる。すなわち、凹部の厚さ方向の寸法が小さくなったり、幅方向の寸法が小さくなったりする。このように凹部の形状が崩れると、再び体液の流入があった場合に、凹部を介して体液を速やかに下部吸収層へと移行させることができなくなる。
【０００４】
この発明では、吸収体に形成された凹部の形状が崩れることなく、凹部を介した体液の移行を維持することができる吸液構造体およびこれを含む着用物品を提供することを課題とする。
【課題を解決するための手段】
【０００５】
この発明は、第１の発明と第２の発明とを含む。
第１の発明は、縦方向および横方向と、第１吸収体および第２吸収体とを含み、前記第１吸収体は、吸液性の第１芯材を含み、前記第２吸収体は、吸液性の第２芯材を含み、前記第１吸収体および第２吸収体の厚さ方向に凹部が形成された着用物品の吸液構造体の改良に関わる。
【０００６】
第１の発明は、前記吸液構造体において、前記第１吸収体は、前記縦方向に延びる第１両側縁と、前記横方向に延びる第１前後端縁と、前記第１芯材の存在領域と、前記第１両側縁および第１前後端縁の少なくともいずれかに形成された前記第１芯材の実質的非存在領域とを含み、前記第２吸収体は、前記第１前後端縁および第１両側縁の少なくともいずれかから延出する延出部を含み、前記凹部は、前記第１吸収体の前記存在領域から前記実質的非存在領域を介して、前記第２吸収体の前記延出部へと延びることを特徴とする。
【０００７】
好ましい実施態様のひとつとして、前記存在領域は、前記凹部に対応する部位において前記第１芯材が形成されない中央実質的非存在領域を含む。
【０００８】
好ましい他の実施態様のひとつとして、前記凹部は、圧搾処理によって形成される。
【０００９】
好ましい他の実施態様のひとつとして、前記凹部は、前記縦方向および前記横方向の少なくともいずれかに延びる。
【００１０】
好ましい他の実施態様のひとつとして、前記凹部は、複数条形成される。
【００１１】
好ましい他の実施態様のひとつとして、前記第２吸収体は、前記実質的非存在領域に対応する位置において第２芯材が存在する。
【００１２】
第２の発明は、吸液構造体を含む着用物品の改良に関わり、この着用物品は、着用者の身体側に位置する表面シートと、前記身体側の反対側に位置する裏面シートとを含み、前記第１吸収体は、前記表面シート側に位置し、前記第２吸収体は、前記裏面シート側に位置することを特徴とする。
【発明の効果】
【００１３】
この発明の吸液構造体では、第１吸収体には、吸液性の第１芯材の存在領域と、実質的非存在領域とを形成し、凹部が存在領域から実質的非存在領域を超えて、第２吸収体の延出部へと延びることとした。したがって、第１および第２吸収体で体液を吸収しても、実質的非存在領域では芯材が存在しないのであるから、これが膨張することがなく、凹部の形状が崩れてしまうのを防止することができる。凹部の形状が崩れることなく維持されるので、体液は凹部を介して速やかに第２吸収体へと移行する。
【発明を実施するための最良の形態】
【００１４】
この発明における吸液構造体を含む着用物品の一例を説明する。
【００１５】
＜第１の実施形態＞
この実施形態では、着用物品として尿用のパンティライナ１を例に挙げて説明する。図１はパンティライナ１の平面図であってその一部を破断した図、図２は図１のＩＩ−ＩＩ線断面図、図３は図１のＩＩＩ−ＩＩＩ線断面図である。パンティライナ１は、縦方向Ｙとこれに直交する横方向Ｘとを含み、縦方向Ｙに縦長に形成されている。パンティライナ１は、身体側に位置する表面シート１１と、身体側とは反対側であってパンティ等の着衣側に位置する裏面シート１２と、これらシート１１，１２の間に形成された第１吸収体２０および第２吸収体３０とを含む。第１吸収体２０および第２吸収体３０によって、この発明の吸液構造体を形成している。表面シート１１と裏面シート１２とは、その周囲において接合部１３を介して、好ましくは水密に接合されている。
【００１６】
第１吸収体２０と第２吸収体３０とは、互いに積層されて接合手段４０によって接合されるとともに、第１吸収体２０が表面シート１１側に位置し、第２吸収体３０が裏面シート１２側に位置している。第１吸収体２０は、全体として略矩形に形成され、縦方向Ｙに延びる第１両側縁２１，２１と、横方向Ｘに延びる第１前後端縁２２，２３とを含む。第２吸収体３０は、第１吸収体２０の少なくとも第１前後端縁２２，２３から縦方向Ｙの外側に延出する前後端延出部３３，３４を含み、第２吸収体３０の面積が、第１吸収体２０の面積よりも広くなるようにしている。第２吸収体３０は、接着手段４２を介して、裏面シート１２に好ましくは間欠的に接合されている。
【００１７】
第１吸収体２０は、高吸収ポリマーの粒子または繊維を含む吸液性の第１芯材２４と、第１芯材２４を覆う第１シート２５とを含み、第１前後端縁２２，２３には、第１芯材２４の前後端実質的非存在領域２６，２７が形成される。前後端実質的非存在領域２６，２７は、第１前後端縁２２，２３に沿って横方向Ｘに延びる。この前後端実質的非存在領域２６，２７以外の部分では、第１芯材２４の存在領域２８を形成している。ここで前後端実質的非存在領域２６，２７とは、吸液性の芯材が全く存在しない場合や、吸収体として十分な吸液容量を有しない程度の僅かに存在するような場合を意味する。
【００１８】
第１吸収体２０では、第１シート２５の内側に、縦方向Ｙに延びるとともに横方向Ｘに離間させて例えばホットメルト接着剤等の接着手段４１を間欠的に塗布し、存在領域２８では芯材を介在させ、前後端実質的非存在領域２６，２７では芯材を実質的に介在させることなく厚さ方向において第１シート２５を互いに接合させる。このようにして、存在領域２８および前後端実質的非存在領域２６，２７を形成することができる。
【００１９】
第２吸収体３０は、高吸収ポリマーの粒子又は繊維を含む吸液性の第２芯材３１と、第２芯材３１を覆う第２シート３２とを含む。第２吸収体３０は、表裏面シート１１，１２とほぼ相似形を有し、これら表裏面シート１１，１２の内側に沿って形成されるとともに、第２芯材３１は、その全体に亘って配置されている。第１吸収体２０は、第２吸収体３０のほぼ中央に位置し、第１吸収体２０が着用者の排泄位置に一致するようにしている。
【００２０】
上記のような第１および第２吸収体２０，３０には、縦方向Ｙに延び、その断面がほぼＶ字の凹部５０が形成されている。凹部５０の断面は、ほぼＵ字であってもよい。このような凹部５０は、その厚さ方向において表面シート１１および第１吸収体２０を介して、第２吸収体３０にまで到達している。また、凹部５０は、その縦方向Ｙにおいて第１吸収体２０の存在領域２８から前端実質的非存在領域２６を介して、第２吸収体３０の前端延出部３３へと延びている。すなわち、凹部５０の一端５１は存在領域２８に位置し、他端５２は前端延出部３３に位置している。このような凹部５０は、その部分を加熱圧搾処理によって形成することができる。
【００２１】
図２に示したように、凹部５０は、第１吸収体２０の存在領域２８では、第１芯材２４を圧搾し、さらに、第２吸収体３０の第２芯材３１も圧搾して、表面シート１１から第１吸収体２０および第２吸収体３０にまで達している。このように第１および第２芯材２４，３１が圧搾された部分では、密度が高くなり、そこでの毛管作用によって体液を速やかに通過させることができる。したがって、体液は、凹部５０を介して身体から最も遠い第２吸収体３０へと速やかに移行し、表面シート１１の身体側に滞ることがない。表面シート１１に体液が長時間滞った場合には、かぶれ等の肌トラブルを誘発しやすいが、これを抑制することができる。
【００２２】
図３に示したように、凹部５０は、第１吸収体２０の前端実質的非存在領域２６では、厚さ方向の上下に位置する第１シート２５が互いに直接接触するとともに、この第１シート２５と表面シート１１とが接触し、第２吸収体３０ではその第２芯材３１が圧搾されている。このような凹部５０では、体液が表面シート１１および第１シート２５を介して速やかに第２吸収体３０へと吸収される。体液を吸収した第２芯材３１は、縦方向Ｙ、横方向Ｘおよび厚さ方向に膨張するが、前端実質的非存在領域２６には芯材が存在していない。したがって、第２吸収体３０の第２芯材３１のみが膨張し、第１および第２吸収体２０，３０のいずれの吸液性芯材も膨張する場合に比べて、その膨張量が小さく、凹部５０の形状が崩れるのを抑制することができる。凹部５０の形状が崩れずに維持されることによって、圧搾によって形成された第２吸収体３０の高密度部分も維持され、表面シート１１側の体液を第２吸収体３０へと速やかに維持することができる。
【００２３】
特に、第１吸収体２０の前後端縁２２，２３または両側縁２１，２１では、第１芯材２４の膨張代が小さくなり、凹部５０の幅を狭くしたり、厚さ方向の深さを狭くしたりして、凹部５０の形状が崩れやすい。しかし、少なくとも前後端縁２２，２３で前後端実質的非存在領域２６，２７を形成し、凹部５０を前端実質的非存在領域２６に重なるように形成することとしたので、この前端縁２２での凹部５０の形状の崩れを抑制することができる。
また、第１吸収体２０および第２吸収体３０に凹部５０を形成し、この凹部５０を圧搾処理によって形成することとしたので、第１芯材２４および第２芯材３１のよれを抑制し、第１および第２吸収体２０，３０を保形することができる。
【００２４】
第１吸収体２０よりも第２吸収体３０の面積を広くして、前後端実質的非存在領域２６，２７に対応する部分においては、第２芯材３１が存在することとしているので、前後端実質的非存在領域２６，２７で吸収されなかった体液は、第２芯材３１で吸収することができ、着用物品全体としての吸収能力を担保することができる。
前後端実質的非存在領域２６，２７では、芯材が存在しないので、体液が速やかに第１吸収体２０を通過し、身体側から遠い第２吸収体３０の第２芯材３１で吸収される。したがって、体液が長時間身体に付着するのを抑制することができる。
【００２５】
表面シート１１としては、透液性の繊維不織布等を用いることができ、裏面シート１２としては、不透液性のフィルム等を使用することができる。第１および第２シート２５，３２としては液拡散性のティッシュペーパー等を使用することができる。第１芯材２４および第２芯材３１としては、高吸収性ポリマー粒子を用いているが、吸液性を有するものであれば、パルプなどの他の芯材を用いることができ、これらを組み合わせて使用することもできる。
【００２６】
この実施形態において、凹部５０は、前端実質的非存在領域２６側にのみ形成されているが、同様の凹部を後端実質的非存在領域２７側にも形成することができる。さらに、凹部５０を縦方向Ｙに延長し、前端実質的非存在領域２６から存在領域２８を超えて後端実質的非存在領域２７まで到達するようにしてもよい。凹部５０は、一条だけでなく、複数条形成されるようにしてもよい。
【００２７】
＜第２の実施形態＞
図４は、第２の実施形態におけるパンティライナ１の正面図であり、説明のためにその一部を破断している。この第２の実施形態は、凹部５０が形成される位置が第１の実施形態と異なり、他の構成要素は第１の実施形態と同様である。同様の構成要素については、第１の実施形態と同じ符号を用い、詳細な説明を省略する。
【００２８】
図示したように、第１吸収体２０では、第１芯材２４が存在しない領域として、前後端実質的非存在領域２６，２７と両側実質的非存在領域２９とが形成される。前後端実質的非存在領域２６，２７は、第１吸収体２０の第１前後端縁２２，２３に沿って横方向Ｘに延びて形成され、両側実質的非存在領域２９は、第１両側縁２１に沿って縦方向Ｙに延びて形成される。すなわち存在領域２８の縦方向Ｙおよび横方向Ｘの外側において、そのいずれにも実質的非存在領域が形成される。
第２吸収体３０は、第１吸収体２０の第１前後端縁２２，２３から縦方向Ｙ外側に延出する前後端延出部３３，３４と、第１両側縁２１から横方向Ｘ外側に延出する両側延出部３５とを含む。
【００２９】
凹部５０は、横方向Ｘに向かって延び、具体的には、第１吸収体２０の第１芯材２４の存在領域２８から両側実質的非存在領域２９を介して、第２吸収体３０の両側延出部３５に延びている。凹部５０は、縦方向Ｙおよび横方向Ｘに離間して４箇所形成され、その一端５１は存在領域２８に位置し、他端５２は第２吸収体３０の両側延出部３５に位置している。
【００３０】
このように、凹部５０を縦方向Ｙおよび横方向Ｘに離間させて複数形成することによって、仮にいずれかの凹部５０の形状が崩れてしまったとしても、他の凹部５０によって体液を第２吸収体３０へと移行させることができる。したがって、表面シート１１状に体液が長時間滞るのを抑制することができ、体液が肌に接触することによって引き起こされる肌トラブルを防止することができる。
【００３１】
＜第３の実施形態＞
図５は、この発明の第３の実施形態を示したものであり、図６は図５のＶＩ−ＶＩ線断面図、図７は図５のＶＩＩ−ＶＩＩ線断面図である。この実施形態では、縦方向Ｙに延びる凹部５０を２条形成するとともに、第１吸収体２０の凹部５０に対応する位置では、中央実質的非存在領域６０を形成していることを特徴とする。他の構成要素は第１および第２の実施形態と同様であり、これら同様の構成要素についてはその説明を省略する。
【００３２】
図示したように、第１吸収体２０には、第１前後端縁２２，２３に沿って横方向Ｘに延びる前後端実質的非存在領域２６，２７と、第１両側縁２１，２１に沿って縦方向Ｙに延びる両側実質的非存在領域２９，２９とが形成される。
凹部５０は、２条形成され、縦方向Ｙに延びるとともに、横方向Ｘに離間している。これら凹部５０は、前端縁２２から延出し第２吸収体３０の前端延出部３３に位置する一端５１と、後端縁２３から延出し第２吸収体３０の後端延出部３４に位置する他端５２とを有し、前端実質的非存在領域２６から存在領域２８を介して後端実質的非存在領域２７へと向かって延びている。ただし、存在領域２８では、凹部５０に対応する位置において、中央実質的非存在領域６０を形成している。
【００３３】
中央実質的非存在領域６０では、凹部５０に対応する位置において、第１芯材２４が形成されていない。凹部５０が縦方向Ｙに延びて形成され、横方向Ｘに離間しているので、中央実質的非存在領域６０も縦方向Ｙに延びて形成され、横方向Ｘに離間している。ただし、中央実質的非存在領域６０は、前後端実質的非存在領域２６，２７および両側実質的非存在領域２９と同様に、第１芯材２４が全く存在しない場合だけでなく、存在していても他の存在領域２８よりもその量が少ない場合も含む。
【００３４】
このような中央実質的非存在領域６０では、第１吸収体２０を形成する第１シート２５が直接接合されることとなる。すなわち、第１吸収体２０において、凹部５０に対応する全域に亘って、第１芯材２４が存在しないこととなる。したがって、存在領域２８において、体液が第１芯材２４に吸収され、この第１芯材２４が膨張したとしても、凹部５０の形状が崩れることがない。また、第１芯材２４が存在しない中央実質的非存在領域６０においては、その下層側に第２吸収体３０の第２芯材３１が存在するので、この第２芯材３１で中央実質的非存在領域６０の体液を吸収することができる。
【００３５】
第１〜第３の実施形態において、凹部５０を縦方向Ｙまたは横方向Ｘに延びて形成されているが、このように縦方向Ｙまたは横方向Ｘに延びることによって、体液の流動を物理的に妨げる障壁として機能させることができる。したがって、凹部５０の形成によって、体液の着用物品からの漏れを抑制することができる。凹部５０は、縦または横へと一方向に延びるものだけでなく、波形を画いたり環状に形成されたりするものでもよい。
【００３６】
この発明において、凹部５０を圧搾処理によって形成することとしているが、その他の公知の技術を用いることができる。接着手段４０，４１として、接着剤、サーマルまたはウルトラソニックボンド等の慣用技術を利用することができる。また、裏面シート１２として、不透液性のプラスチックフィルム等を用いることができるが、裏面シート１２の着衣側に、肌触りを考慮した繊維不織布をさらに形成することもできる。
【図面の簡単な説明】
【００３７】
【図１】第１の実施形態のパンティライナの正面図。
【図２】図１のＩＩ−ＩＩ線断面図。
【図３】図１のＩＩＩ−ＩＩＩ線断面図。
【図４】第２の実施形態のパンティライナの正面図。
【図５】第３の実施形態のパンティライナの正面図。
【図６】図５のＶＩ−ＶＩ線断面図。
【図７】図５のＶＩＩ−ＶＩＩ線断面図。
【符号の説明】
【００３８】
１    パンティライナ
１１    表面シート
１２    裏面シート
２０    第１吸収体
２１    第１両側縁
２２    第１前端縁
２３    第１後端縁
２４    第１芯材
２６    前端実質的非存在領域
２７    後端実質的非存在領域
２８    存在領域
２９    両側実質的非存在領域
３０    第２吸収体
３１    第２芯材
３３    前端延出部
３４    後端延出部
３５    両側延出部
５０    凹部
６０    中央実質的非存在領域
【図１】
2010110535.tif 000003
【図２】
2010110535.tif 000004
【図３】
2010110535.tif 000005
【図４】
2010110535.tif 000006
【図５】
2010110535.tif 000007
【図６】
2010110535.tif 000008
【図７】
2010110535.tif 000009